(57)【特許請求の範囲】
【請求項１】
容器台に載置された容器を筒状の押圧部材により上方側から押圧して保持し、該押圧部材内を貫通したエアパイプにより圧縮エアを容器内に吹き込むとともに、押圧部材内の中空部分を介して容器内の異物を排出させるようにしたエアクリーナにおいて、上記押圧部材を、容器の口部上端と当接する当接部を備えた第１筒状部材と、これよりも上方に配置されて昇降する移動部材に保持される第２筒状部材から構成するとともに、第１筒状部材を第２筒状部材に嵌入可能とし、これら第１筒状部材と第２筒状部材を任意の嵌入量で固定する固定手段と、上記第１筒状部材の外周に表示させたスケールとを備えたことを特徴とするエアクリーナの容器保持装置。
【請求項２】
上記第１筒状部材と第２筒状部材には、第１筒状部材の外周面に複数の凹部が設けられ、第２筒状部材には凹部に係合可能な係合部材が進退動可能に設けられており、これらによって固定手段が構成されていることを特徴とする請求項１に記載のエアクリーナの容器保持装置。
【発明の詳細な説明】
【０００１】
【発明の属する技術分野】
本発明は、容器内に圧縮エアを吹き込んで容器内の異物を外部に排出させるようにしたエアクリーナに関し、より詳しくは、高さの異なる容器の兼用化を可能としたエアクリーナの容器保持装置に関するものである。
【０００２】
【従来の技術】
従来より上述したようなエアクリーナとしては、多数の循環移動する容器台を備え、これら容器台に連続的に容器を載置させて、容器台を移動させつつ各容器台に対応した筒状の押圧部材を下降させ容器の口部に押し付けて容器を保持し、この状態のまま容器台および押圧部材を反転させて容器を倒立させ、押圧部材の内側を貫通させて容器内にエアパイプを挿入し、このエアパイプによって容器内に圧縮エアを吹き込むとともに、押圧部材内の中空部分に吸引力を発生させて圧縮エアで吹き出される容器内の塵埃、糸くず、ガラスの破片等の異物を集塵することによりクリーニングするものが知られている。
【０００３】
【発明が解決しようとする課題】
従来のエアクリーナによれば、スプリングの付勢力によって押圧部材による容器の保持力を得ており、若干量の容器高さの違いであれば吸収することは可能であるが、大きく異なる場合には十分な保持力が得られなかったり、付勢力が強すぎて容器が押しつぶされたりするため、高さの異なる容器のクリーニングを行う場合には、全ての押圧部材を長さの異なる押圧部材に交換する必要があった。また、そのためクリーニングを行う容器の高さごとに異なる長さの押圧部材を準備しなければならなかった。
【０００４】
本発明は、このような問題に鑑み、押圧部材の交換を伴うことなく高さの異なる容器の兼用化を可能としたエアクリーナの容器保持装置を提供するものである。
【０００５】
【課題を解決するための手段】
本発明は、前記課題の解決を図ったもので、次のような技術手段を採用した。
請求項１記載の発明においては、容器台に載置された容器を筒状の押圧部材により上方側から押圧して保持し、該押圧部材内を貫通したエアパイプにより圧縮エアを容器内に吹き込むとともに、押圧部材内の中空部分を介して容器内の異物を排出させるようにしたエアクリーナにおいて、上記押圧部材を、容器の口部上端と当接する当接部を備えた第１筒状部材と、これよりも上方に配置されて昇降する移動部材に保持される第２筒状部材から構成するとともに、第１筒状部材を第２筒状部材に嵌入可能とし、これら第１筒状部材と第２筒状部材を任意の嵌入量で固定する固定手段と、上記第１筒状部材の外周に表示させたスケールとを備えるという技術手段を採用した。
【０００６】
請求項２記載の発明においては、請求項１に加えて、第１筒状部材と第２筒状部材には、第１筒状部材の外周面に複数の凹部を設け、第２筒状部材に凹部に係合可能な係合部材を進退動可能に設け、これらによって固定手段を構成するという技術手段を採用した。
【０００７】
【発明の実施の形態】
本発明に係る容器保持装置は、容器台に載置された容器を上方側から押圧して保持する筒状の押圧部材を、第１筒状部材と第２筒状部材から構成するとともに第１筒状部材を第２筒状部材に嵌入可能として、その嵌入量を調節することにより押圧部材の長さを変更できるようにしたもので、これにより高さの異なる容器の兼用を可能としたものである。以下の実施例においては、保持した容器を反転させて連続的にクリーニングを行うロータリ式エアクリーナを示すが、エアクリーナの形態としてはこれに限るものではなく、反転させずにエアパイプで容器内に圧縮エアを吹き込み、押圧部材内の中空部分を介して異物を吸引させるタイプや、間欠的に動作するタイプ等、容器台に載置された容器を筒状の押圧部材により上方から押圧して保持する容器保持装置を備えたものであれば様々な形態のエアクリーナに採用することができる。また、エアパイプは押圧部材の内側に位置して容器内に圧縮エアを吹き込むことが可能であれば必ずしも容器内に挿入させる必要はなく、さらに押圧部材内の中空部分を介して異物を排出させる場合にも、エアパイプから吹き込まれる圧縮エアの気流によって容器内から異物を排出させることも可能で、必ずしも押圧部材内の中空部分に吸引力を発生させる必要はない。
【０００８】
【実施例】
図１はエアクリーナを示す概略平面図、図２はエアクリーナを示す縦断面図、図３は容器保持装置を示す要部拡大図で、（Ａ）は正面図、（Ｂ）は右側面図、（Ｃ）は（Ａ）におけるＣ方向矢視図である。
図１において１はエアクリーナであって、コンベヤ２で搬送される容器３は供給スターホイル４によってエアクリーナ１に供給されると、搬送されつつ矢印Ｄで示す反転区間において１８０度反転されて倒立状態となり、倒立状態となった容器３は矢印Ｅで示す洗浄区間において内部に圧縮エアを吹き込まれてクリーニングされ、再度反転区間Ｄにおいて１８０度反転されて正立状態となって排出スターホイル５により排出されてコンベヤ６に受け渡される。
【０００９】
エアクリーナ１は図２に示すように、ベース７に立設した中心軸８にベアリング９を介して回転体１０を回転自在に備えており、この回転体１０の外周部上面に２本で１組の保持支柱１１を円周方向等間隔で複数設けている。組をなす保持支柱１１の上端部には回転軸１１ａが固定されており、この回転軸１１ａに容器保持装置１２が回転自在に支持されている。回転体１０は外周面に形成したギア１０ａによって図示しない駆動ギアに接続されて回転駆動されるようになっており、これに伴い容器保持装置１２が図１で示す矢印Ｄ、Ｅの方向へ公転移動されるようになっている。
【００１０】
容器保持装置１２は、回転軸１１ａが貫通される平板状で平面視で長方形状をした容器台１３を備えており、この容器台１３の両面に容器３を載置させ保持部１４で保持するようになっている。容器台１３の回転軸１１ａと平行する両側面にはカムフォロア１５、１５が設けられており、これらカムフォロア１５、１５はフレーム１６に垂下されて配置される溝カム１７ａおよび溝カム１７ｂと係合するようになっている。溝カム１７ａは図１において矢印Ｅで示す洗浄区間に渡って同一水平面で高さを変えることなく円弧状に設けられており、容器保持装置１２の移動経路の内周側に配置されて、回転自在に支持されている容器台１３を水平に保つようにしている。一方、溝カム１７ｂは図１において矢印Ｄで示す反転区間に渡って設けられており、開始端では水平状態である容器台１３のカムフォロア１５と係合できるよう、容器保持装置１２の移動経路の外周側に開口が内周側に向けて配置されているが、そこから容器台１３が９０度公転移動される位置にかけて徐々に上昇しながら内周側に曲げられ、さらに開口を下方へ向けるよう９０度ひねられて図２で示すように回転軸１１ａの上方に位置される。さらにそこから９０度公転移動される位置にかけて徐々に下降しながら内周側に曲げられ、開口を外周側へ向けるよう同じ方向へ９０度ひねられて最終的に溝カム１７ａと同じ内周側に位置され、すなわち溝カム１７ｂは開始端から１８０度ひねられて終了端に達し、終了端が溝カム１７ａの開始端に接続されるよう構成されている。これにより、容器保持装置１２は矢印Ｅで示す区間は容器台１３を水平に保った状態で移動され、矢印Ｄで示す反転区間で反転され容器台１３の表裏が１８０度反転されるようになっている。
【００１１】
回転体１０の外周部上面にはさらに、組をなす支持支柱１１の間で容器保持装置１２の下方位置に、図示しない集塵機に連通される吸引ノズル１８が設けられており、この吸引ノズル１８の下方で回転体１０の外周部下面側にエアパイプ１９を取り付けた昇降部材２０が配置されている。昇降部材２０は回転体１０の外周部下面に垂下された案内ロッド２１によって案内されるようになっているとともに、移動経路の内周側にカムフォロア２２ａを備えており、ベース７に固定されたカム２２ｂによって洗浄区間内で昇降されてエアパイプ１９を反転状態の容器３内に抜き差しするようになっている。エアパイプ１９は回転体１０、吸引ノズル１８を摺動自在に貫通して設けられており、また、昇降部材２０の上昇端にはロータリジョイント２３を介して圧縮エア源に接続された開閉弁２４が備えられ、昇降部材２０が上昇されて押しつけられることによって、弁が解放されエアパイプ１９に圧縮エアが供給されるようになっている。
【００１２】
図２、図３で示すように、容器台１３には反転されて同位置となるよう互い違いに保持部１４、１４が両面に設けられている（図３では一方のみを図示している）。保持部１４は容器台１３に平行に立設された２本の支持ロッド２５、２５と、この支持ロッド２５、２５に摺動自在に保持された移動部材２６からなり、移動部材２６はスプリング２７、２７によって支持ロッド２５、２５の上端から垂下されている。この移動部材２６には上部のブラケット２６ａを介し、下端に容器の口部上端と当接する内側が円錐状に形成された当接部２８を備える、内部に中空部分を有する筒状の押圧部材２９が設けられている。また、移動部材２６にはカムフォロア３０ａが取り付けられており、このカムフォロア３０ａは容器台１３を洗浄区間で水平に保つ溝カム１７ａを形成したカムブロックの上部に形成したカム３０ｂと係合するようになっている。このカム３０ｂは矢印Ｅで示す洗浄区間に設けられ、容器３を排出させる排出スターホイル５の手前でカムフォロア３０ａを上昇させ、容器３を供給する供給スターホイル４を通過後に下降させるよう形成されており、洗浄区間を正立状態で通過する保持部１４の移動部材２６はこのカム３０ｂによって、スプリング２７、２７を圧縮しながら上昇されるようになっている。これにより、当接部２８を上昇位置とすることで供給スターホイル４から容器３を導入することができ、また排出スターホイル５へ容器３を排出することができるとともに、カム３０ｂと係合しない状態ではスプリング２７、２７の付勢力により、導入した容器３を当接部２８で押し付け容器台１３との間で保持するようになっている。
【００１３】
移動部材２６に設けられた押圧部材２９は、下端に当接部２８が形成された第１筒状部材３１と、この第１筒状部材３１の上方に位置しブラケット２６ａに保持される第２筒状部材３２とを備えており、第１筒状部材３１は第２筒状部材３２に摺動自在に嵌入されている。第１筒状部材３１の当接部２８よりも上方の外周面は凸部３３ａと凹部３３ｂが連続する凹凸状面３３が形成されており、一方第２筒状部材３２の下端には第１筒状部材３１を任意の嵌入量で固定する固定部３４が設けられている。これら凹凸状面３３と固定部３４とにより第１筒状部材３１と第２筒状部材３２とを固定する固定手段が構成されている。
【００１４】
固定部３４は第２筒状部材３２よりも拡径された保持ブロック３４ａと、これに保持されて、凹凸状面３３に対し進退動可能であって、その凹部３３ｂに係合する係合部材としてのＬ字型をした２枚の係合プレート３４ｂとを備えており、この係合プレート３４ｂの一方を凹部３３ｂに係合させて第１筒状部材３１を第２筒状部材３２に固定させるようになっている。
【００１５】
Ｌ字型をした係合プレート３４ｂの長面には第１筒状部材３１の外径よりも大きな長穴が長手方向に伸ばして形成されているとともに、これに隣接してこれよりも小さな長穴が形成されている。係合プレート３４ｂは第１筒状部材３１を貫通させた状態で図３（Ｃ）で示すように、保持ブロック３４ａの上下部に長面の長手方向に摺動できるように支持されており（図３（Ｃ）では下部のみ図示）、短面が保持ブロック３４ａの周面に面するようになっている。この短面は保持ブロック３４ａの周面に設けたスプリング３４ｃによって、保持ブロック３４ａから隔離される方向へ付勢されており、これにより第１筒状部材３１を貫通させた長穴の反付勢方向側の内縁が第１筒状部材３１の凹凸状面３３に当接されるようになっている。また、もう一方の小さな長穴には保持ブロック３４ａに立設されたストッパピン３４ｄが貫通されており、係合プレート３４ｂのスプリング３４ｃによる付勢方向とは反対方向への移動量を規制するようになっている。つまり、係合プレート３４ｂをスプリング３４ｃの付勢力に抗して押し込んだ際に、第１筒状部材３１が貫通する長穴の付勢方向側の内縁が第１筒状部材３１と接触することがないよう規制している。
【００１６】
係合プレート３４ｂは凹部３３ｂに係合可能な入り込むことのできる厚さとなっており、さらに両係合プレート３４ｂは各短面が対向して配置されるとともに、スプリング３４ｃに付勢されて一方の係合プレート３４ｂの長穴の内縁が凹凸状面３３の凹部３３ｂに入り込んだ状態の時は、他方の係合プレート３４ｂは凸部３３ａに当接する寸法で第１筒状部材３１の長手方向に位置をずらして配置されている。このように構成することによって、凹部３３ｂに入り込んだ状態の係合プレート３４ｂの短面の保持ブロック３４ａ周面からの突出量は、凸部３３ａに当接している係合プレート３４ｂの短面の突出量よりも大きく、突出量の大きい方の短面をスプリング３４ｃの付勢力に抗して押し込むことにより、凹部３３ｂとの係合が外れ第１筒状部材３１が長手方向に移動可能となる。この状態で第１筒状部材３１を持って移動させれば第２筒状部材３２に対する嵌入量を変更することができるが、移動させるとすぐにもう一方の凸部３３ａに当接していた係合プレート３４ｂが、スプリング３４ｃの付勢力により隣接する凹部３３ｂに入り込むので小刻みに一定ピッチで嵌入量を調節することが可能であり、微妙な調整を精度良く行うことができる。また係合を外した途端に第１筒状部材３１が落下してしまう危険性がなく作業性が良好である。なお、凹凸状面３３には移動量の目安となるようにスケール３３ｃを表示させてある。
【００１７】
以上の構成に係るエアクリーナおよび容器保持装置の作動について説明する。
エアクリーナ１が備える回転体１０が回転駆動されると、各容器保持装置１２は公転移動しつつ矢印Ｅで示す洗浄区間では容器台１３を水平に保ち、矢印Ｄで示す反転区間では１８０度反転される。洗浄区間を移動する容器保持装置１２において上方側に位置する保持部１４の移動部材２６は、カム３０ａによって上昇されるので押圧部材２９が上昇されてその下方に容器３が供給される。その後、移動部材２６は速やかに下降されカム３０ａとの係合が外れるので、スプリング２７で付勢されて当接部２８が容器３の口部上端に押しつけられ、容器台１３と当接部２８によって容器３が保持される。一方、洗浄区間を移動する容器保持装置１２における下方側では、容器台１３と当接部２８で保持された容器３が反転状態で移動されており、ともに移動する昇降部材２０がカム２２ｂによって上昇され、エアパイプ１９が押圧部材２９を構成する第２筒状部材３２、第１筒状部材３１、当接部２８の各内側を貫通して容器３内に挿入される。これによりエアパイプ１９から圧縮エアが容器３内に吹き込まれるとともに、吸引ノズル１８により当接部２８、第１筒状部材３１、第２筒状部材３２の各内側の中空部分を介して容器３内が吸引され容器３内の異物が排出される。また、反転区間においては容器保持装置１２は、溝カム１７ｂによって１８０度反転されるので、洗浄区間で容器保持装置１２の上方側に供給された容器３は反転されて容器保持装置１２の下方側となってクリーニングされ、洗浄区間で容器保持装置１２の下方側にあって既にクリーニングされた容器３は反転されて容器保持装置１２の上方側となって、排出スターホイル５により機外に排出される。
【００１８】
このようなクリーニング作業において、これまでと高さの異なる容器３をクリーニングする場合には、全ての押圧部材２９について第２筒状部材３２に対する第１筒状部材３１の嵌入量を変更する。より詳細には、これまでより高さの高い容器３に変更する場合には、第２筒状部材３２の固定部３４の係合プレート３４ｂ交互に押し込みながら第１筒状部材３１を第２筒状部材３２に必要量挿入させて押圧部材２９の全長を短くする。この場合、予め容器種ごとに第１筒状部材３１と第２筒状部材３２の適正な嵌入量を調べておき、スケール３３ｃの目盛りを目安に調整するようにする。また、これまでより高さの低い容器３に変更する場合には、第２筒状部材３２の固定部３４の係合プレート３４ｂを交互に押し込みながら第１筒状部材３１を第２筒状部材３２から必要量抜き出して押圧部材２９の全長を長くする。このように、容器３の高さの変化に応じて押圧部材２９の長さを変更できるので、従来のように押圧部材の交換を伴うことなく高さの異なる容器の兼用化が可能となる。
【００１９】
【発明の効果】
本発明によれば、容器台に載置された容器を筒状の押圧部材により上方側から押圧して保持し、該押圧部材内を貫通したエアパイプにより圧縮エアを容器内に吹き込むとともに、押圧部材内の中空部分を介して容器内の異物を排出させるようにしたエアクリーナにおいて、上記押圧部材を、容器の口部上端と当接する当接部を備えた第１筒状部材と、これよりも上方に配置されて昇降する移動部材に保持される第２筒状部材から構成するとともに、第１筒状部材を第２筒状部材に嵌入可能とし、これら第１筒状部材と第２筒状部材を任意の嵌入量で固定する固定手段と、上記第１筒状部材の外周に表示させたスケールとを備えたことで、容器の高さの変化に応じて押圧部材の長さを変更でき、従来のように押圧部材の交換を伴うことなく高さの異なる容器の兼用化が可能となる。
【図面の簡単な説明】
【図１】  本発明のエアクリーナを示す概略平面図である。
【図２】  本発明のエアクリーナを示す縦断面図である。
【図３】  本発明の容器保持装置を示す要部拡大図で、（Ａ）は正面図、（Ｂ）は右側面図、（Ｃ）は（Ａ）におけるＣ方向矢視図である。
【符号の説明】
１・・・・エアクリーナ                  ２・・・・コンベヤ
３・・・・容器                          ４・・・・供給スターホイル
５・・・・排出スターホイル              ６・・・・コンベヤ
７・・・・ベース                        ８・・・・中心軸
９・・・・ベアリング                  １０・・・・回転体
１０ａ・・・・ギア                        １１・・・・保持支柱
１１ａ・・・・回転軸                      １２・・・・容器保持装置
１３・・・・容器台                      １４・・・・保持部
１５・・・・カムフォロア                １６・・・・フレーム
１７ａ・・・・溝カム                    １７ｂ・・・・溝カム
１８・・・・吸引ノズル                  １９・・・・エアパイプ
２０・・・・昇降部材                    ２１・・・・案内ロッド
２２ａ・・・・カムフォロア              ２２ｂ・・・・カム
２３・・・・ロータリジョイント          ２４・・・・開閉弁
２５・・・・支持ロッド                  ２６・・・・移動部材
２６ａ・・・・ブラケット                  ２７・・・・スプリング
２８・・・・当接部                      ２９・・・・押圧部材
３０ａ・・・・カムフォロア              ３０ｂ・・・・カム
３１・・・・第１筒状部材                ３２・・・・第２筒状部材
３３・・・・凹凸状面                  ３３ａ・・・・凸部
３３ｂ・・・・凹部                      ３３ｃ・・・・スケール
３４・・・・固定部                    ３４ａ・・・・保持ブロック
３４ｂ・・・・係合プレート              ３４ｃ・・・・スプリング
３４ｄ・・・・ストッパピン
【図１】
0004508464.tif 000002
【図２】
0004508464.tif 000003
【図３】
0004508464.tif 000004